(57)【要約】  【課題】メモリに予め記憶しておくデータ量が増加するのを防止しつつ、各色トナーの濃度バランスの調整量に対する出力画像の色の変化に差が生じるのを抑制する。  【解決手段】ブラックのトナーの濃度バランス調整時には、ＥＰＲＯＭ７に予め記憶されている濃度バランス調整テーブル１２（基準濃度バランス調整テーブル）から所定の演算によって生成され、ワークＲＡＭ８に一時的に記憶された濃度バランス調整テーブル１３（変更濃度バランス調整テーブル）を用いて濃度バランスを調整する。ブラック以外のトナーの濃度バランス調整時には、ＥＰＲＯＭ７に予め記憶されている濃度バランス調整テーブル１２（基準濃度バランス調整テーブル）を用いて濃度バランスを調整する。【選択図】        図１
2005178141.tif 000002
【特許請求の範囲】
【請求項１】
複数色の色材を用いて用紙にカラー画像を形成することができるカラー画像形成装置であって、
上記複数色の色材の濃度バランスを個別に調整するために操作される濃度バランス調整手段と、
上記濃度バランス調整手段による濃度バランスの調整量に応じて色材の濃度値を変換するための基準濃度バランス調整テーブルを記憶する基準濃度バランス調整テーブル記憶部と、
上記基準濃度バランス調整テーブル記憶部から基準濃度バランス調整テーブルを読み出して所定の演算を行うことにより、上記濃度バランス調整手段による濃度バランスの調整量に対する色材の濃度値の変換値が変更された変更濃度バランス調整テーブルを生成する変更濃度バランス調整テーブル生成手段と、
上記濃度バランス調整手段によって所定色の色材の濃度バランスが調整された場合に、上記変更濃度バランス調整テーブル生成手段によって生成された変更濃度バランス調整テーブルを用いてその色材の濃度値を変換する濃度値変換手段と
を含むことを特徴とするカラー画像形成装置。
【請求項２】
上記複数色の色材には、ブラックの色材が含まれ、
上記濃度値変換手段は、上記濃度バランス調整手段によってブラックの色材の濃度バランスが調整された場合には、上記変更濃度バランス調整テーブル生成手段によって生成された変更濃度バランス調整テーブルを用いてその色材の濃度値を変換し、上記濃度バランス調整手段によってブラック以外の色材の濃度バランスが調整された場合には、上記基準濃度バランス調整テーブル記憶部から読み出した基準濃度バランス調整テーブルを用いてその色材の濃度値を変換するものであることを特徴とする請求項１記載のカラー画像形成装置。
【発明の詳細な説明】
【技術分野】
【０００１】
この発明は、デジタルカラー複写機などのカラー画像形成装置に関する。
【背景技術】
【０００２】
スキャナで読み取った原稿のカラー画像データ（レッド（Ｒ）、グリーン（Ｇ）およびブルー（Ｂ）の各濃度値データ）に基づいて、シアン（Ｃ）、マゼンタ（Ｍ）、イエロー（Ｙ）およびブラック（ＢＫ）の各色トナーを用紙に重ね合わせることによって、いわゆる電子写真方式によりフルカラー画像を形成（出力）することができるカラー画像形成装置が知られている。
【０００３】
カラー画像形成装置の中には、各色トナーの濃度バランス（カラーバランス）を個別に調整する機能を有するものがある（たとえば、特許文献１参照）。この種のカラー画像形成装置には、濃度バランスを調整する際に操作される操作部が備えられていて、この操作部を操作することにより、各色トナーの濃度バランスをそれぞれ複数段階に調整することができるようになっている。操作部が操作されていずれかの色のトナーの濃度バランスが調整された場合には、カラー画像形成装置に備えられたメモリに予め記憶されている濃度バランス調整テーブルを用いて、その調整量（段階）に応じてトナーの濃度値が変換される。
【特許文献１】特開平７−２５４９５４号公報
【発明の開示】
【発明が解決しようとする課題】
【０００４】
上記従来技術では、いずれの色のトナーの濃度バランスを調整する場合でも、同一の濃度バランス調整テーブルを用いてトナーの濃度値が変換される。したがって、濃度バランスの調整量に対する変換後のトナーの濃度値が、いずれの色のトナーにおいても同一となる。
しかしながら、シアン、マゼンタおよびイエローのトナーは、その濃度値が少し変化しただけでも出力画像に色の変化が顕著に表れる一方、ブラックのトナーは、その濃度値が少し変化しただけでは出力画像に色の変化が表れにくい。したがって、上記従来技術のように同一の濃度バランス調整テーブルを用いてシアン、マゼンタ、イエローおよびブラックの各色トナーの濃度値が変換されるような構成の場合、各色トナーの濃度バランスの調整量に対する出力画像の色の変化に差が生じて、所望の出力画像を得ることができない場合があった。
【０００５】
そこで、シアン、マゼンタおよびイエローのトナーの濃度バランスを調整する際に用いる濃度バランス調整テーブルと、ブラックのトナーの濃度バランスを調整する際に用いる濃度値テーブルとをメモリに予め記憶しておいて、トナーの色に応じた濃度値テーブルをメモリから読み出して濃度バランスを調整するような構成が考えられる。しかしながら、このような構成では、メモリに予め記憶しておくデータ量が増加してしまい好ましくない。
【０００６】
この発明は、かかる背景のもとでなされたもので、メモリに予め記憶しておくデータ量が増加するのを防止しつつ、各色トナー（色材）の濃度バランスの調整量に対する出力画像の色の変化に差が生じるのを抑制できるカラー画像形成装置を提供することを目的とする。
【課題を解決するための手段】
【０００７】
上記目的を達成するための請求項１記載の発明は、複数色の色材を用いて用紙にカラー画像を形成することができるカラー画像形成装置（１）であって、上記複数色の色材の濃度バランスを個別に調整するために操作される濃度バランス調整手段（５，５３，５４）と、上記濃度バランス調整手段による濃度バランスの調整量に応じて色材の濃度値を変換するための基準濃度バランス調整テーブル（１２）を記憶する基準濃度バランス調整テーブル記憶部（７）と、上記基準濃度バランス調整テーブル記憶部から基準濃度バランス調整テーブルを読み出して所定の演算を行うことにより、上記濃度バランス調整手段による濃度バランスの調整量に対する色材の濃度値の変換値が変更された変更濃度バランス調整テーブル（１３）を生成する変更濃度バランス調整テーブル生成手段（４，Ｓ３）と、上記濃度バランス調整手段によって所定色の色材の濃度バランスが調整された場合に、上記変更濃度バランス調整テーブル生成手段によって生成された変更濃度バランス調整テーブルを用いてその色材の濃度値を変換する濃度値変換手段（６）とを含むことを特徴とするカラー画像形成装置である。
【０００８】
なお、括弧内の英数字は、後述の実施形態における対応構成要素などを表す。以下、この項において同じ。
この構成によれば、濃度バランスの調整量に対する出力画像の色の変化に差が生じる色材（たとえば、トナー）の濃度バランス調整時には、濃度バランスの調整量に対する色材の濃度値の変換値が変更された変更濃度バランス調整テーブルを用いて濃度バランスを調整することができる。したがって、基準濃度バランス調整テーブルから変換濃度バランス調整テーブルを生成する際の演算を適切に行うことにより、濃度バランスの調整量に対する出力画像の色の変化に差が生じるのを抑制できる。
【０００９】
また、基準濃度バランス調整テーブル記憶部（たとえば、ＥＰＲＯＭなどのメモリ）に予め記憶されている基準濃度バランス調整テーブルを読み出して所定の演算を行うことにより変換濃度バランス調整テーブルを生成するので、メモリに予め記憶しておくデータ量が増加するのを防止できる。
請求項２記載の発明は、上記複数色の色材には、ブラックの色材が含まれ、上記濃度値変換手段（６）は、上記濃度バランス調整手段（５，５３，５４）によってブラックの色材の濃度バランスが調整された場合には、上記変更濃度バランス調整テーブル生成手段（４，Ｓ３）によって生成された変更濃度バランス調整テーブル（１３）を用いてその色材の濃度値を変換し、上記濃度バランス調整手段によってブラック以外の色材の濃度バランスが調整された場合には、上記基準濃度バランス調整テーブル記憶部（７）から読み出した基準濃度バランス調整テーブル（１２）を用いてその色材の濃度値を変換するものであることを特徴とする請求項１記載のカラー画像形成装置（１）である。
【００１０】
この構成によれば、ブラックの色材の濃度バランス調整時には、濃度バランスの調整量に対する色材の濃度値の変換値が変更された変更濃度バランス調整テーブルを用いて濃度バランスを調整し、ブラック以外の色材の濃度バランス調整時には、基準濃度バランス調整テーブルを用いて濃度バランスを調整することができる。したがって、基準濃度バランス調整テーブルから変換濃度バランス調整テーブルを生成する際の演算を適切に行うことにより、ブラックの色材の濃度バランスの調整量に対する出力画像の色の変化に差が生じるのを抑制できる。
【発明を実施するための最良の形態】
【００１１】
以下には、図面を参照して、この発明の実施形態について具体的に説明する。
図１は、この発明の一実施形態に係るデジタルカラー複写機１の電気的構成を示すブロック図である。
図１を参照して、このデジタルカラー複写機１は、スキャナ２で読み取った原稿のカラー画像データ（レッド（Ｒ）、グリーン（Ｇ）およびブルー（Ｂ）の各濃度値データ）に基づいて、画像形成部３でシアン（Ｃ）、マゼンタ（Ｍ）、イエロー（Ｙ）およびブラック（ＢＫ）の各色トナーを用紙に重ね合わせることによって、いわゆる電子写真方式によりフルカラー画像を形成することができるものである。
【００１２】
デジタルカラー複写機１には、たとえばマイクロコンピュータを含む構成であって、当該デジタルカラー複写機１の動作を制御するＣＰＵ４が備えられている。ＣＰＵ４には、ＣＰＵデータバスＬを介して、上記スキャナ２および画像形成部３に加えて、操作表示パネル５、画像処理ＡＳＩＣ（Application Specific Integrated Circuit）６、ＥＰＲＯＭ（Erasable Programmable ROM）７、ワークＲＡＭ８およびフラッシュＲＯＭ９などが接続されていて、これらの各部２〜９が互いに信号を送受信できるようになっている。
【００１３】
スキャナ２には、原稿に向けて光を照射するための光源と、原稿からの反射光を受光してアナログ信号を出力するＣＣＤイメージセンサとが備えられている（図示せず）。ＣＣＤイメージセンサは、複数個のＣＣＤ素子がライン状に配列されることにより構成されていて、これらのＣＣＤ素子の配列方向の電気的な主走査と、光源およびＣＣＤイメージセンサの原稿に対する相対的な移動による副走査とによって、原稿画像の読み取りが達成される。ＣＣＤイメージセンサから出力されたアナログ信号は、多値（たとえば、「０」〜「２５５」）のデジタルデータ（画像データ）にＡ／Ｄ変換された後、画像処理ＡＳＩＣ６に入力される。
【００１４】
画像処理ＡＳＩＣ６は、ＲＡＭ６１を備えていて、このＲＡＭ６１に記憶されているデータ等に基づいて、スキャナ２から入力された画像データに対して所定の画像処理を施す。この画像処理ＡＳＩＣ６の画像処理によって、スキャナ２から入力されたレッド、グリーンおよびブルーの各濃度値データが、シアン、マゼンタ、イエローおよびブラックの各色トナーの濃度値データに変換される。画像処理後の画像データは、画像処理ＡＳＩＣ６から画像形成部３に出力される。
【００１５】
画像形成部３は、たとえば、感光体、メインチャージャ、現像装置および転写装置などを含む周知の構成である。すなわち、画像形成時には、略円筒状の感光体の表面がメインチャージャによって一様に帯電され、この感光体の表面に画像処理ＡＳＩＣ６から入力された画像データ（各色トナーの濃度値データ）に基づいて光が照射されることにより、感光体の表面にいわゆる静電潜像が形成される。静電潜像が形成された感光体の表面には、現像装置により各色トナーが選択的に付着され、トナー像が形成される。そして、感光体の表面に形成されたトナー像は、転写装置の働きによって用紙に転写される。
【００１６】
フラッシュＲＯＭ９には、シアン、マゼンタ、イエローおよびブラックの各色トナーに対応付けられた４つの自動調整テーブル１０が予め記憶されている。自動調整テーブル１０は、画像形成部３の特性に応じて各色トナーの濃度値を調整するためのテーブルであって、シアン、マゼンタ、イエローおよびブラックの各色トナーの濃度値が対応する自動調整テーブル１０に入力されることにより、自動調整テーブル１０ごとに異なる濃度値が出力されるようになっている。
【００１７】
ＥＰＲＯＭ７には、露光調整テーブル１１および濃度バランス調整テーブル１２（基準濃度バランス調整テーブル）がそれぞれ複数（たとえば、７つずつ）記憶されている。露光調整テーブル１１は、スキャナ２で読み取った原稿画像の露光量を複数の露光段階（たとえば、「−３」から「＋３」までの７段階）に調整するためのテーブルである。自動調整テーブル１０から出力されたシアン、マゼンタ、イエローおよびブラックの各色トナーの濃度値が、ＥＰＲＯＭ７に記憶されている７つの露光調整テーブル１１から選択された１つの露光調整テーブル１１に入力されることにより、露光調整テーブル１１ごとに異なる濃度値が出力されるようになっている。
【００１８】
濃度バランス調整テーブル１２は、シアン、マゼンタおよびイエローの各色トナーの濃度バランス（配合率）を複数の濃度段階（たとえば、「−３」から「＋３」までの７段階）に調整するためのテーブルである。露光調整テーブル１１から出力されたシアン、マゼンタ、イエローおよびブラックの各色トナーの濃度値のうち、シアン、マゼンタおよびイエローの各色トナーの濃度値（ブラック以外のトナーの濃度値）が、ＥＰＲＯＭ７に記憶されている７つの濃度バランス調整テーブル１２から選択された１つの濃度バランス調整テーブル１２に入力されることにより、濃度バランス調整テーブル１２ごとに異なる濃度値が出力されるようになっている。
【００１９】
ワークＲＡＭ８には、ＥＰＲＯＭ７から選択されて読み出され、所定の演算（たとえば、出力される濃度値に係数を乗算）が行われることにより生成された濃度バランス調整テーブル１３（変更濃度バランス調整テーブル）が一時的に記憶される。ワークＲＡＭ８に記憶される濃度バランス調整テーブル１３は、ブラックのトナーの濃度バランスを調整するためのテーブルである。露光調整テーブル１１から出力されたシアン、マゼンタ、イエローおよびブラックの各色トナーの濃度値のうちブラックのトナーの濃度値が、ワークＲＡＭ８に記憶されている濃度バランス調整テーブル１３に入力されることにより、対応付けられた濃度値が出力されるようになっている。
【００２０】
自動調整テーブル１０、露光調整テーブル１１および濃度バランス調整テーブル１２，１３を用いて調整（トナー濃度調整）した各色トナーの濃度値を画像形成部３に与えて画像形成を行うことにより、所望の出力物を得ることができる。
操作表示パネル５は、たとえばタッチパネル付きの液晶表示器を含む構成であって、ユーザがその表示画面にタッチして操作を行うことにより、露光調整や濃度バランス調整などの各種設定を行うことができるようになっている。
【００２１】
図２は、ＥＰＲＯＭ７に記憶されている濃度バランス調整テーブル１２の具体例を示す図である。
図２に示すように、濃度段階が「±０」の濃度バランス調整テーブル１２では、入力される濃度値に対して出力される濃度値が同一であるが、濃度段階が大きい（「＋１」〜「＋３」）濃度バランス調整テーブル１２ほど、入力される濃度値に対して出力される濃度値が大きくなり、濃度段階が小さい（「−１」〜「−３」）濃度バランス調整テーブル１２ほど、入力される濃度値に対して出力される濃度値が小さくなる。
【００２２】
図３は、ワークＲＡＭ８に記憶される濃度バランス調整テーブル１３の具体例を示す図である。図３（ａ）は、濃度バランス調整テーブル１２の出力値（濃度値）に、濃度段階が「＋１」〜「＋３」のテーブルに対しては１．１を乗算し、濃度段階が「−１」〜「−３」のテーブルに対しては０．９を乗算することにより生成された濃度バランス調整テーブル１３を示しており、図３（ｂ）は、濃度バランス調整テーブル１２の出力値（濃度値）に、濃度段階が「＋１」〜「＋３」のテーブルに対しては１．２を乗算し、濃度段階が「−１」〜「−３」のテーブルに対しては０．８を乗算することにより生成された濃度バランス調整テーブル１３を示している。
【００２３】
図３に示すように、濃度段階が「±０」の濃度バランス調整テーブル１３では、入力される濃度値に対して出力される濃度値が同一であるが、濃度段階が大きい（「＋１」〜「＋３」）濃度バランス調整テーブル１３ほど、入力される濃度値に対して出力される濃度値が大きくなり、濃度段階が小さい（「−１」〜「−３」）濃度バランス調整テーブル１３ほど、入力される濃度値に対して出力される濃度値が小さくなる。
【００２４】
また、図３（ｂ）のように出力される濃度値に対して乗算される係数と係数「１」との差分値が大きい場合（たとえば、差分値が０．２）の方が、図３（ａ）のように出力される濃度値に対して乗算される係数と係数「１」との差分値が小さい場合（たとえば、差分値が０．１）よりも、濃度段階が「±０」の濃度バランス調整テーブル１３を用いたときの出力値に対して、出力値の変化量が大きくなる。
【００２５】
なお、濃度バランス調整テーブル１３を生成する際に濃度バランス調整テーブル１２の出力値に乗算される係数は、たとえばサービスマンの操作などによって変更可能であることが好ましい。
図４は、操作表示パネル５の表示画面の表示例を示す図であって、図４（ａ）は、濃度バランス調整を行う前の初期状態における表示例を示しており、図４（ｂ）は、濃度バランス調整を行った後の表示例を示している。
【００２６】
濃度バランス調整を行う場合、操作表示パネル５の表示画面には、図４に示すようにシアン、マゼンタ、イエローおよびブラックにそれぞれ対応する濃度バランス表示バー５１が表示される。各濃度バランス表示バー５１は、「−３」、「−２」、「−１」、「±０」、「＋１」、「＋２」、「＋３」の７段階に区分けされていて、設定されている濃度段階に対応する位置にそれぞれポインタ５２が表示されるようになっている。図４（ａ）に示すような初期状態では、各色トナーに対応する濃度バランス表示バー５１の濃度段階「±０」に対応する位置にポインタ５２が表示されている。
【００２７】
各濃度バランス表示バー５１の側方には、濃度バランス調整を行う際に操作される増加キー５３および減少キー５４が表示されている。増加キー５３を操作するごとに、対応する濃度バランス表示バー５１において濃度段階が増加する側に１段階ずつポインタ５２が移動し、減少キー５４を操作するごとに、対応する濃度バランス表示バー５１において濃度段階が減少する側に１段階ずつポインタ５２が移動する。増加キー５３と減少キー５４の間には、そのとき設定されている濃度段階を表示するための濃度段階表示部５５が表示されるようになっている。
【００２８】
図４（ｂ）に示す表示例では、シアンおよびブラックについては、濃度バランスは調整されず濃度段階がそれぞれ「±０」であるのに対して、マゼンタの濃度段階が「＋２」に増加され、イエローの濃度段階が「−１」に減少された状態を示している。
図４では、濃度バランス調整を行う場合の操作表示パネル５の表示画面の表示例を示しているが、露光調整を行う場合にも、操作表示パネル５の表示画面に同様の表示（たとえば、濃度バランス表示バーに対応して露光段階を複数段階で区分けして表示する露光量表示バーの他、ポインタ、増加キー、減少キーおよび露光段階表示部など）が表示されるようになっていてもよい。
【００２９】
図５は、トナー濃度調整を行う場合のＣＰＵ４による制御の流れを示すフローチャートである。
ＣＰＵ４は、各色トナーのトナー濃度調整（自動調整、露光調整および濃度バランス調整）の結果に基づいて、各色トナーに対応するトナー濃度調整後のテーブルを生成し、画像処理ＡＳＩＣ６のＲＡＭ６１に記憶する。より具体的には、ブラックのトナーに対しては（ステップＳ１でＹＥＳ）、ＣＰＵ４は、設定されている濃度段階「−３」〜「＋３」に対応する濃度バランス調整テーブル１２をＥＰＲＯＭ７から読み出す（ステップＳ２）。その後、ＣＰＵ４は、ＥＰＲＯＭ７から読み出した濃度バランス調整テーブル１２に対して演算を行うことにより濃度バランス調整テーブル１２を変更し、その変更後の濃度バランス調整テーブル１３をワークＲＡＭ８に記憶した後（ステップＳ３）、そのワークＲＡＭ８に記憶した変更後の濃度バランス調整テーブル１３を読み出す（ステップＳ４）。一方、ブラック以外のトナーに対しては（ステップＳ１でＮＯ）、ＣＰＵ４は、設定されている濃度段階「−３」〜「＋３」に対応する濃度バランス調整テーブル１２をＥＰＲＯＭ７から読み出す（ステップＳ５）。
【００３０】
その後、ＣＰＵ４は、設定されている露光段階に対応する露光調整テーブル１１をＥＰＲＯＭ７から読み出し（ステップＳ６）、トナーの色に対応する自動調整テーブル１０をフラッシュＲＯＭ９から読み出す（ステップＳ７）。ＣＰＵ４は、このようにして読み出した濃度バランス調整テーブル１２，１３、露光調整テーブル１１および自動調整テーブル１０に基づいて、各入力値（濃度値）に対して自動調整テーブル１０から出力される濃度値を露光調整テーブル１１に入力し、その入力された濃度値に対して露光調整テーブル１１から出力される濃度値を濃度バランス調整テーブル１２，１３に入力することにより、自動調整テーブル１０に入力される各濃度値に濃度バランス調整テーブル１２，１３から最終的に出力される濃度値を対応付けたテーブル（合成テーブル）を生成し、画像処理ＡＳＩＣ６のＲＡＭ６１に記憶させる（ステップＳ８）。
【００３１】
このようにして、シアン、マゼンタ、イエローおよびブラックのすべてに対してステップＳ１〜Ｓ８の処理を行うことにより（ステップＳ９でＹＥＳ）、各色トナーに対応する合成テーブルが生成され、画像処理ＡＳＩＣ６のＲＡＭ６１に記憶される。
画像形成時には、画像処理ＡＳＩＣ６が、当該画像処理ＡＳＩＣ６のＲＡＭ６１から読み出した各色トナーに対応する合成テーブルを用いて、スキャナ２で読み取った原稿画像に基づくシアン、マゼンタ、イエローおよびブラックの各色トナーの濃度値を変換することとなる。ただし、合成テーブルを用いた各色トナーの濃度値の変換をＣＰＵ４が行うような構成であってもよい。
【００３２】
この実施形態では、ブラックのトナーの濃度バランス調整時には、濃度バランスの調整量に対するトナーの濃度値の変換値が変更された濃度バランス調整テーブル１３（変更濃度バランス調整テーブル）を用いて濃度バランスを調整し、ブラック以外のトナーの濃度バランス調整時には、濃度バランス調整テーブル１２（基準濃度バランス調整テーブル）を用いて濃度バランスを調整することができる。したがって、濃度バランス調整テーブル１２から濃度バランス調整テーブル１３を生成する際の演算を適切に行うことにより、ブラックのトナーの濃度バランスの調整量に対する出力画像の色の変化に差が生じるのを抑制できる。
【００３３】
また、ＥＰＲＯＭ７に予め記憶されている濃度バランス調整テーブル１２（基準濃度バランス調整テーブル）を読み出して所定の演算を行うことにより濃度バランス調整テーブル１３（変換濃度バランス調整テーブル）を生成するので、ＥＰＲＯＭ７に予め記憶しておくデータ量が増加するのを防止できる。
この発明は、以上の実施形態の内容に限定されるものではなく、請求項記載の範囲内において種々の変更が可能である。
【００３４】
たとえば、ＥＰＲＯＭ７に予め記憶されている濃度バランス調整テーブル１２からブラックのトナーに対応する濃度バランス調整テーブル１３を生成する際に行う演算は、上記実施形態のように、濃度バランス調整テーブル１２の出力値に、濃度段階が正（「＋１」〜「＋３」）のテーブルに対しては１よりも大きい係数（１．１や１．２など）を乗算し、濃度段階が負（「−１」〜「−３」）のテーブルに対しては１よりも小さい係数（０．９や０．８など）を乗算するような構成に限らず、加算、減算または除算などの各種演算を含むような構成であってもよい。
【００３５】
ＥＰＲＯＭ７に予め記憶されている濃度バランス調整テーブル１２から生成される濃度バランス調整テーブル１３は、ブラックのトナーの濃度バランス調整に用いられるような構成に限らず、他の色のトナーの濃度バランス調整に用いられるような構成であってもよい。
濃度バランス調整を行う際に操作する操作表示パネル５は、タッチパネル付きの液晶表示器を含む構成に限らず、たとえば、各色トナーの濃度バランスを調整する際に押操作するためのボタンを含むような構成であってもよい。
【００３６】
また、操作部と表示部が一体的に構成された操作表示パネル５を操作することにより濃度バランス調整を行うような構成に限らず、表示部とは別個に設けられた操作部を操作することにより濃度バランス調整を行うような構成であってもよい。
自動調整テーブル１０を記憶するメモリ、および露光調整テーブル１１および濃度バランス調整テーブル１２（基準濃度バランス調整テーブル）を予め記憶するメモリは、それぞれフラッシュＲＯＭ９およびＥＰＲＯＭ７に限らず、他のメモリ（たとえば、他の不揮発性メモリ）であってもよい。
【００３７】
また、濃度バランス調整テーブル１３（変更濃度バランス調整テーブル）を一時的に記憶するメモリは、ワークＲＡＭ８に限らず、他のメモリ（たとえば、他の揮発性メモリ）であってもよい。
画像形成部３は、シアン、マゼンタ、イエローおよびブラックの４色のトナーを用いて画像形成を行うような構成に限らず、他の色のトナーを用いて画像形成を行うような構成であってもよい。
【００３８】
上記実施形態では、複数色のトナーを用いて画像形成を行うタイプのデジタルカラー複写機１を例にとって説明したが、この発明は、複数色のインクを用いて画像形成を行うタイプ（いわゆるインクジェットタイプ）のように他の色材を用いて画像形成を行うデジタルカラー複写機にも適用可能である。
また、上記実施形態では、カラー画像形成装置の一例としてデジタルカラー複写機１を例にとって説明したが、この発明は、デジタルカラー複写機１に限らず、デジタルカラープリンタなどの他のカラー画像形成装置にも適用可能である。
【図面の簡単な説明】
【００３９】
【図１】この発明の一実施形態に係るデジタルカラー複写機の電気的構成を示すブロック図である。
【図２】ＥＰＲＯＭに記憶されている濃度バランス調整テーブルの具体例を示す図である。
【図３】ワークＲＡＭに記憶される濃度バランス調整テーブルの具体例を示す図である。
【図４】操作表示パネルの表示画面の表示例を示す図である。
【図５】トナー濃度調整を行う場合のＣＰＵによる制御の流れを示すフローチャートである。
【符号の説明】
【００４０】
１  デジタルカラー複写機
４  ＣＰＵ
５  操作表示パネル
７  ＥＰＲＯＭ
１２  （基準）濃度バランス調整テーブル
１３  （変更）濃度バランス調整テーブル
５３  増加キー
５４  減少キー
【図１】
2005178141.tif 000003
【図２】
2005178141.tif 000004
【図３】
2005178141.tif 000005
【図４】
2005178141.tif 000006
【図５】
2005178141.tif 000007